(57)【特許請求の範囲】
【請求項１】
簡単な撮影機構が設けられたユニット本体あるいはこのユニット本体に収納される写真フイルムカートリッジに組み込まれた各種のデータを記憶するＩＣメモリと、前記撮影機構のシャッタ羽根に蹴飛ばされてオンされるシンクロスイッチを有するストロボ回路と、前記シンクロスイッチとは別に撮影機構の露光動作に応動してオンされる補助スイッチと、前記シンクロスイッチ，補助スイッチのうち少なくともどちらか一方がオンすることにより前記ＩＣメモリにデータの書き込みを行う記録制御ＩＣとを備えたことを特徴とするレンズ付きフイルムユニット。
【請求項２】
前記補助スイッチは、前記シャッタ羽根に蹴飛ばされてオンされることを特徴とする請求項１記載のレンズ付きフイルムユニット。
【発明の詳細な説明】
【０００１】
【発明の属する技術分野】
本発明は、レンズ付きフイルムユニットに関し、さらに詳しくは、１コマ撮影する度にデータをＩＣメモリに書き込むレンズ付きフイルムユニットに関するものである。
【０００２】
【従来の技術】
誰でも簡単に写真撮影が楽しめるように、フイルム装填操作及びフイルム巻き戻し操作を不要にしたレンズ付きフイルムユニットが市販されている。このレンズ付きフイルムユニットは、シャッタチャージ機構等を含む簡易な撮影機構を備えたユニット本体に写真フイルムカートリッジのカートリッジ本体と、これから引き出された未露光の写真フイルムとが製造時に装填されており、１コマ撮影する毎に露光された写真フイルムがカートリッジ本体内に収納されてゆき、全コマ撮影終了後にはそのまま現像取扱店に提出するだけで、現像済みの写真フイルムがロール状に収納されたカートリッジ本体と、全コマを容易に確認できるインデックスプリントや同時プリント写真とが一緒に返却されるようにしたものである。
【０００３】
このようなレンズ付きフイルムユニットには、ユニット本体もしくはこれに装填される写真フイルムカートリッジのカートリッジ本体にＩＣメモリを設け、このＩＣメモリに、撮影年月日等のデートデータやその他の撮影データ等のデータを１コマ撮影毎に書き込むようにしたものが知られている（例えば特開平９−２０４０１６号公報）。ＩＣメモリに書き込まれたデータは、プリント処理時に読み出され、プリント写真に撮影年月日を写し込んだり、プリント写真をパノラマサイズでプリントするのに用いられる。
【０００４】
【発明が解決しようとする課題】
ところが、上記のようなレンズ付きフイルムユニットでは、ごく稀にではあるが、シャッタボタンを押し下げてシャッタ羽根が開閉してもシンクロスイッチがオンせずにＩＣメモリにデータが書き込まれないという事故が発生することがある。このように撮影されたコマに対応するデータがＩＣメモリに書き込まれず、次の撮影でデータが書き込まれた場合、この書き込まれたデータは、前に撮影されたコマに対応したものとして扱われる。すなわち、コマ番号と、これに対応するデータとがズレるため、例えばプリント写真に実際と異なる撮影年月日が印字されるというような事故につながるおそれがある。
【０００５】
本発明は上記問題点を解消するためになされたものであり、シンクロスイッチがオンしなかった場合にもＩＣメモリへのデータ書き込みが確実に行われ、コマ番号とデータとがズレるのを防止したレンズ付きフイルムユニットを提供することを目的とする。
【０００６】
【課題を解決するための手段】
上記目的を達成するために、本発明のレンズ付きフイルムユニットは、簡単な撮影機構が設けられたユニット本体あるいはこのユニット本体に収納される写真フイルムカートリッジに組み込まれた各種のデータを記憶するＩＣメモリと、前記撮影機構のシャッタ羽根に蹴飛ばされてオンされるシンクロスイッチを有するストロボ回路と、前記シンクロスイッチとは別に撮影機構の露光動作に応動してオンされる補助スイッチと、前記シンクロスイッチ，補助スイッチのうち少なくともどちらか一方がオンすることにより前記ＩＣメモリにデータの書き込みを行う記録制御ＩＣとを備えたものである。また、前記補助スイッチは、前記シャッタ羽根に蹴飛ばされてオンされるものである。
【０００７】
【発明の実施の形態】
本発明を実施したレンズ付きフイルムユニットの構成を図２に示す。レンズ付きフイルムユニットは、本体基部１１，露光ユニット１２，ストロボユニット１３，前カバー１４，後カバー１５とからなるユニット本体１０と、本体基部１１に装填される写真フイルムカートリッジ１６とからなる。
【０００８】
写真フイルムカートリッジ１６は、図３に示すように、現在市販されているアドバンストフォトシステムのものであり、カートリッジ本体１６ａ内に、写真フイルム１７を巻きつけたスプール１８が回転自在に収納されている。スプール１８の両端は、カートリッジ本体１６ａの端面から露呈し、各々キー溝１８ａが形成されている。カートリッジ本体１６ａには、ポート口１６ｂが設けられ、このポート口１６ｂを通して写真フイルム１７が出入りする。また、このポート口１６ｂを開閉するために遮光蓋１９が組み込まれ、その両端はスプール１８と同様にカートリッジ本体１６ａの端面から露呈し、各々キー溝１９ａを有している。
【０００９】
カートリッジ本体１６ａ内には、フイルム送り出し機構が内蔵されており、キー溝１９ａを介して遮光蓋１９を開いた状態でスプール１８を図中時計方向に回転させることによって、写真フイルム１７がポート口１６ｂを通して頭出しされる。写真フイルム１７は、背面側（乳剤面と反対側）の全面に透明な磁気記録層が設けられたものが用いられている。
【００１０】
カートリッジ本体１６ａに貼付されたラベル２０には、カートリッジ本体１６ａのＩＤナンバーを表すバーコード２０ａが印刷されており、カートリッジ本体１６ａと写真フイルム１７とを一対一に対応づけている。写真フイルム１７のＩＤナンバーは、写真フイルム１７の製造時にサイドプリントにより潜像としてバーコード記録されるが、これとともに上記のように写真フイルム１７の磁気記録層に磁気記録しておいてもよい。符号２１は、写真フイルム１７の種別や撮影可能枚数がバーコードで記録されたディスクを示す。このディスク２１は、スプール１８と一体に回転し、プリンタ等に設けられたバーコードリーダによってデータ内容が読み取られるが、後述するＩＣメモリ２２を内蔵するために省略してもよい。
【００１１】
写真フイルムカートリッジ１６のカートリッジ本体１６ａには、撮影年月日等のデートデータやその他の撮影データ等のデータを記録するためのＩＣメモリ２２が組み込まれている。このＩＣメモリ２２には記憶保持用に電源を要せず、また電気的にデータの書き込みと消去とが可能なＥＥＰＲＯＭが用いられている。このＩＣメモリ２２は、周知のワイヤボンディング手法等によって、スプール１８の端部を取り囲むように露呈された接点部２３と電気的に接続されている。
【００１２】
写真フイルムカートリッジ１６は、レンズ付きフイルムユニットに装填された後に、ＩＣメモリ２２の所定のアドレス域にＬＦ識別データ、製造年月日データ、初期化時間データ、ＩＤナンバー等が基礎データとして書き込まれてから、レンズ付きフイルムユニットに装填される。初期化時間データは、後述する記録制御ＩＣ３１によって計測される累積時間の計測開始時間を表している。
【００１３】
図２において、本体基部１１には、暗箱部１１ａの両側にカートリッジ室１１ｂとフイルムロール室１１ｃとが一体に形成されている。カートリッジ室１１ｂとフイルムロール室１１ｃには、製造段階でそれぞれ写真フイルムカートリッジ１６のカートリッジ本体１６ａと、このカートリッジ本体１６ａから引き出した写真フイルム１７をロール状にしたフイルムロール１７ａとが装填される。
【００１４】
カートリッジ室１１ｂの上部には、巻上げダイヤル２４が配され、その下面に一体に設けた巻上げ軸の先端が写真フイルムカートリッジ１６のスプール１８のキー溝１８ａに係合するようになっている。巻上げダイヤル２４を図中反時計方向に回動操作すると、スプール１８の回転によって写真フイルム１７の撮影済み部分がカートリッジ本体１６ａに巻き込まれる。
【００１５】
露光ユニット１２は、シャッタチャージ機構，フイルム巻止め機構，カウンタ送り機構，シャッタ駆動機構及びシャッタ羽根，撮影レンズ２５、ファインダ２６を構成する対物レンズと接眼レンズとが組み込まれており、暗箱部１１ａの前面に組み付けられる。
【００１６】
前カバー１４は、本体基部１１の前面を覆うように組み付けられる。前カバー１４の前面には、撮影レンズ２５，ストロボ発光部１３ａを前面に露呈させる開口１４ａ，１４ｂの他、ファインダ２６の視野範囲を規定する対物窓１４ｃが形成されている。また、前カバー１４の前面には、ストロボユニット１３のメインコンデンサに充電を行う際に押圧される充電ボタン１４ｄが一体に設けられている。
【００１７】
前カバー１４の上面には、一部を切り欠いて弾性自在に形成したシャッタボタン１４ｅが設けられている。このシャッタボタン１４ｅの下部には、押圧ロッド１４ｆが設けられており、シャッタボタン１４ｅの押下操作により露光ユニット１２のシャッタ機構を作動させる。後カバー１５は、本体基部１１の背面及び底面を光密に覆う。
【００１８】
ストロボユニット１３は、ストロボ撮影用として、ストロボ発光部１３ａの他に、シンクロスイッチ２７，ストロボ発光用のメインコンデンサ２８等からなるストロボ回路２９（図１参照）と、カートリッジ本体１６ａに内蔵されたＩＣメモリ２２に対して各種のデータの読み出しと書き込みを行うために、記録制御ＩＣ３１やフレキシブル配線板３２等からなるデータ記録部３３（図１参照）とがプリント基板３４に設けられ、この下部にはストロボ回路２９とデータ記録部３３の共通の電源となる電圧Ｖ１（１．５Ｖ）の電池（単３乾電池）３５が組み付けられている。
【００１９】
メインコンデンサ２８を充電する際にオンされる充電スイッチ３８は、フイルムロール室１１ｃの外壁端部に組み込まれた弾性自在の金属片３８ａと、プリント基板３４に形成された接点パターン３８ｂとからなる。充電ボタン１４ｄを押圧すると、金属片３８ａの他端部が弾性変形して接点パターン３８ｂに接触し、充電スイッチ３８がオンとなる。
【００２０】
シンクロスイッチ２７は、図４に示すように、プリント基板３４に組み付けられて上下に並べて配された２枚の金属接片２７ａ，２７ｂからなり、これらがシャッタ羽根４０が全開した瞬間に互いに接触することによりオンとなる。また、カートリッジ室１１ｂの側面に一端部が固定され、他端部がシャッタ羽根４０の下方に配置された補助スイッチ４２が設けられている。この補助スイッチ４２は、シンクロスイッチ２７と同様に上下に並べて配された２枚の金属接片４２ａ，４２ｂからなり、シャッタ羽根４０が全開した瞬間に互いに接触してシンクロスイッチ２７と同時もしくは相前後してオンとなる。
【００２１】
補助スイッチ４２は、シャッタ羽根４０が作動したにもかかわらず、シンクロスイッチ２７が接触不良や破損等により正常にオンとならなかった場合にも、データ記録部３３を正常に作動させ、ＩＣメモリ２２に書き込まれるデータとコマ番号との間にズレが生じるのを防止する。
【００２２】
フレキシブル配線板３２の先端には、複数の接続ピンを一列に並べたプラグ３２ａが設けられている。このプラグ３２ａは、カートリッジ室１１ｂの上部に組み込まれたコネクタ（図示省略）に接続される。このコネクタは、カートリッジ室１１ｂの内部に露呈された接続ピンに電気的に接続されており、この接続ピンがカートリッジ本体１６ａの接点部２３に接続されることにより、記録制御ＩＣ３１とＩＣメモリ２２とが接続される。
【００２３】
レンズ付きフイルムユニットの電気的な構成を図１において、ストロボ回路２９は、シンクロスイッチ２７，メインコンデンサ２８，充電スイッチ３８の他に、ＮＰＮ型の発振トランジスタ５０，発振トランス５１，ＰＮＰ型のラッチ用トランジスタ５２，ストロボ放電管（Ｘｅ管）５３，トリガコンデンサ５４，トリガコイル５５，ネオン管５６，充電用ダイオード５７，ツェナダイオード５８，ＰＮＰ型の停止用トランジスタ５９等から構成されている。
【００２４】
発振トランジスタ５０と発振トランス５１とは、電池３５の低電圧を高電圧に変換し、メインコンデンサ２８を高電圧で充電するための周知のブロッキング発振回路を構成している。発振トランジスタ５０は、充電スイッチ３８がオンとなると、充電信号が与えられ、すなわち抵抗６０，三次コイル６３を介して電池３５からベース電流が流れることにより作動を開始して一次コイル６１に一次側電流（コレクタ電流）を流す。そして、発振トランジスタ５０は、発振トランス５１からの正帰還作用によってベース電流が増大することでコレクタ電流を増大して発振する。
【００２５】
ラッチ用トランジスタ５２は、充電スイッチ３８が１度オンとなった後にオフとなっても、発振トランジスタ５０のベース端子に帰還電流を与えることにより、発振トランジスタ５０の発振を継続させるものである。このラッチ用トランジスタ５２は、発振トランジスタ５０のコレクタ電流の一部がベース電流として流れることによりオンとなる。これにより、発振トランジスタ５０が一旦作動を開始すると、これに応答してラッチ用トランジスタ５２がオンとなり、充電スイッチ３８がオフとなっても、このラッチ用トランジスタ５２のコレクタ電流が帰還電流として発振トランジスタ５０のベース端子に供給される。このようなラッチ用トランジスタ５２の正帰還作用で発振トランジスタ５０が継続して発振する。
【００２６】
なお、後述するように、充電スイッチ３８がオフであっても、記録制御ＩＣ３１からのビジー信号（＊ＢＵＳＹ）が「Ｈレベル」となった場合には、これが充電信号として発振トランジスタ５０に与えられるため、発振トランジスタ５０が作動し、ラッチ制御用トランジスタ５２の正帰還作用により発振を継続する。なお、ビジー信号（＊ＢＵＳＹ）の「＊ＢＵＳＹ」は、図面中でＢＵＳＹに上線（バー）を付したものと同じ意味とし、ビジー信号が負起電力であることを示す。以下の本明細書中に記載する＊ＴＲＧ１，＊ＴＲＧ２，＊ＴＲＧも同じ意味である。
【００２７】
ループ用ダイオード６５は、アノードが抵抗６０を介して三次コイル６３に接続され、カソードが電池３５のプラス端子に接続されている。これにより、充電スイッチ３８がオフの状態における三次コイル６３の逆起電力に対しての電流ループ（電流の逃げ道）を形成し、ブロッキング発振回路の発振動作が不安定になったり、充電時間が長くなるといった不都合をなくしている。
【００２８】
発振トランス５１の二次コイル６２には、発振トランジスタ５０の発振中に、一次コイル６１と二次コイル６２との巻線比に応じた高電圧、例えば３００Ｖ程度の起電力が発生する。充電用ダイオード５７は、この起電力によって流れる二次側電流だけをメインコンデンサ２８に供給する。
【００２９】
メインコンデンサ２８は、その両端子がストロボ放電管５３の両電極に接続されるとともに、プラス端子は電池３５のプラス側に接続され、マイナス端子は充電用ダイオード５７のアノードに接続されている。これにより、電池３５のプラス電位を基準にして、メインコンデンサ２８のマイナス端子側の電位が下がるようにして充電される。このストロボ回路２９では、メインコンデンサ２８の規定充電電圧Ｖａが例えば３００Ｖに設定されており、メインコンデンサ２８の充電電圧Ｖｃが規定充電電圧Ｖａとなっている時にストロボ放電管５３を設計上の光量で発光することが可能となっている。
【００３０】
トリガコンデンサ５４は、メインコンデンサ２８の充電時には、このメインコンデンサ２８とともに二次側電流によって充電される。このトリガコンデンサ５４は、シャッタの作動に連動してシンクロスイッチ２７がオンになると放電し、この放電された電流がトリガトランス５５の一次コイル５５ａに電流が流れる。これにより、トリガトランス５５の二次コイル５５ｂに高電圧、例えば４ＫＶのトリガ電圧が発生する。
【００３１】
トリガ電圧は、ストロボ放電管５３に近接して配されたトリガ電極５３ａを介してストロボ放電管５３に印加される。このトリガ電圧の印加によって、ストロボ放電管５３内のＸｅガスがイオン化して、ストロボ放電管５３の両電極間の抵抗が破れ、メインコンデンサ２８に充電された電荷がストロボ放電管５３内で放電する。これにより、ストロボ放電管５３が発光する。
【００３２】
ネオン管５６は、メインコンデンサ２８の充電電圧が所定の電圧Ｖｂになると点灯する。ネオン管５６が点灯すると、トリガコンデンサ５４に充電された電荷がこのネオン管５６で放電され、ネオン管５６に印加される電圧が降下して消灯する。しかし、発振トランジスタ５０の作動中では継続して充電が行われ、またメインコンデンサ２８がトリガコンデンサ５４に接続されているため、すぐにトリガコンデンサ５４の充電電圧が上昇して、再びネオン管５６が点灯する。この結果、ネオン管５６は、メインコンデンサ５３が規定充電電圧に達する直前から点滅を開始して、メインコンデンサ２８の充電電圧が上昇するのにしたがってその点滅の周期が短くなる。
【００３３】
ネオン管５６は、後カバー１５のファインダ接眼窓に隣接して形成された確認窓を臨む位置に配されており、この確認窓を介してネオン管５６の点灯を確認することで、撮影者は、ストロボ発光の準備が完了したことを知ることができる。なお、電圧Ｖｂは、規定充電電圧Ｖａと同じであることが望ましいが、実際には規定充電電圧Ｖａとよりもわずかに低い、例えば約２８０Ｖである。したがって、撮影者は、ネオン管５６の点滅周期が十分に短くなってからストロボ撮影を行う。
【００３４】
ツェナダイオード５８と停止用トランジスタ５９は、メインコンデンサ２８が規定充電電圧Ｖａまで充電されたときに、ストロボ回路２９による充電を停止するためのものである。ツェナダイオード５８は、メインコンデンサ２８の規定充電電圧である３００Ｖに応じてツェナ電圧が３００Ｖのものが用いられている。メインコンデンサ２８が規定充電電圧Ｖａまで充電されると、その充電電圧がツェナダイオード５８に印加されるため、ツェナダイオード５８にツェナ電流（逆方向電流）が流れ、このツェナ電流が停止用トランジスタ５９のベース電流として流れる。ベース電流が流れて停止用トランジスタ５９がオンとなると、発振トランジスタ５０は、入力端子、すなわちベース端子とエミッタ端子が短絡されるため作動を停止し、これにともなってラッチ用トランジスタ５２もオフとなる。これにより、ブロッキング発振回路の発振が停止されてメインコンデンサ２８の充電が停止される。
【００３５】
なお、ツェナダイオード５８と停止用トランジスタ５９を用いて充電を停止する代わりに、メインコンデンサ２８の充電電圧が規定充電電圧Ｖａに達したことをストロボ回路２９内の電位の変化や発振周期の変化から検出して、後述するビジー信号を「Ｌレベル」とすることでも充電を停止することが可能である。
【００３６】
データ記録部３３は、記録制御ＩＣ３１の他に、トリガ検出回路６８，水晶発振子６９，ＮＯＲ回路７０等から構成されている。
【００３７】
トリガ検出回路６８は、撮影が行われたことを検出するためのものであり、ＮＰＮ型のトリガ検出用トランジスタ７１，ダイオード７２を主部品として構成されている。ダイオード７２は、トリガ検出用トランジスタ７１に逆電圧が印加されて破壊されるのを防止するためのものであり、そのアノードがシンクロスイッチ２７のトリガコイル５５側の位置に接続され、カソードが抵抗７３を介してトリガ検出用トランジスタ７１のベース端子に接続されている。
【００３８】
トリガ検出用トランジスタ７１は、コレクタ端子が抵抗７４を介して電池３５のプラス端子に接続されており、シンクロスイッチ２７のオン，オフに連動してオン，オフされ、そのコレクタ端子の負電位をトリガ検出信号＊ＴＲＧ１としてＮＯＲ回路７０の一方の入力端子へ出力する。
【００３９】
トリガ検出用トランジスタ７１は、シンクロスイッチ２７がオフの場合には、ベース電流が流れないからオフ（エミッタ−コレクタ間に電流が流れない状態）となるため、そのコレクタ端子の電位が電池３５のプラス電位となりトリガ検出信号＊ＴＲＧ１が「Ｈレベル」（１．５Ｖ）となる。また、シャッタ羽根が全開してシンクロスイッチ２７がオンとなると、トリガ検出用トランジスタ７１は、ベース電流が流れてオン（エミッタ−コレクタ間に電流が流れる状態）になる。これにより、コレクタ端子の電位が下がってトリガ検出信号＊ＴＲＧ１が「Ｌレベル」（０Ｖ）となる。
【００４０】
ＮＯＲ回路７０の他方の入力端子は、電池３５に直列接続された２個の抵抗８２，８３の中間端子Ｐに接続され、電池３５のマイナス端子と抵抗８３との間に、前記補助スイッチ４２が設けられている。この補助スイッチ４２のオン，オフで中間端子Ｐの電位が変化するから、この電位をトリガ検出信号＊ＴＲＧ２としてＮＯＲ回路７０の他方の入力端子へ出力する。なお、抵抗８３とコンデンサ８４は、補助スイッチ４２のチャタリング防止用である。
【００４１】
補助スイッチ４２がオフのときには、ＮＯＲ回路７０の他方の入力端子が電池３５のプラス端子に接続され、トリガ検出信号＊ＴＲＧ２が「Ｈレベル」（約１．５Ｖ）となっているが、補助スイッチ４２がオンすると、中間端子Ｐの電位が下がってトリガ検出信号＊ＴＲＧ２が「Ｌレベル」（約０Ｖ）となる。そして、ＮＯＲ回路７０は、２個の入力端子のうちいずれか一方でも「Ｌレベル」になると、「Ｌレベル」のトリガ検出信号＊ＴＲＧを書き込み制御スイッチ７５を介して記録制御ＩＣ３１に出力する。
【００４２】
書き込み制御スイッチ７５は、後述するビジー端子３１ａから出力されるビジー信号によって制御され、トリガ検出信号＊ＴＲＧの検出後に「Ｌレベル」とされるビジー信号によりオン状態からオフ状態に切り換えられる。これにより、トリガ検出信号＊ＴＲＧ１とトリガ検出信号＊ＴＲＧ２とが同時に「Ｌレベル」とならなかった場合に、トリガ検出信号＊ＴＲＧ１，＊ＴＲＧ２のうちいずれか後に「Ｌレベル」となった方によってＮＯＲ回路７０から出力された「Ｌレベル」のトリガ検出信号＊ＴＲＧが記録制御ＩＣ３１に入力されるのを阻止し、２度同じデータがＩＣメモリ２２に書き込まれるのが防止される。なお、ＩＣメモリ２２へのデータ書き込みが終了してビジー信号が「Ｈレベル」になると、書き込み制御スイッチ７５はオン状態に復帰する。
【００４３】
記録制御ＩＣ３１は、ＧＮＤ端子８５が電池３５からのグランド（マイナス）側電源線に接続され、ＶCC１端子８６が抵抗８７を介して、またＶcc２端子８８が電池３５からのプラス（＋１．５Ｖ）側電源線にそれぞれ接続されている。この記録制御ＩＣ３１は、ＶCC１端子８６に給電される駆動電圧ＶCC１（例えば約１．０Ｖ）で常時作動状態とされ、累積時間の計測，ＩＣメモリ２２へのデータ書き込み制御等を行う。また、記録制御ＩＣ３１は、ＶCC２端子８８に給電される電圧ＶCC２（１．５Ｖ＝Ｖ１）を記録制御ＩＣ３１内の倍電圧回路９１（図５参照）でＩＣメモリ２２用の駆動電圧ＶDD（３Ｖ）に昇圧し、この駆動電圧ＶDDをＩＣメモリ２２に給電する。
【００４４】
上記のように電池３５からの電圧Ｖ１を記録制御ＩＣ３１に供給するプラス側電源線とグランド側電源線との間には、第１コンデンサ９２と第２コンデンサ９３とが接続されている。これらの第１，第２コンデンサ９２，９３と前述の抵抗８７とは、ストロボ発光時にメインコンデンサ２８の電荷がストロボ放電管５３内で放電することにより電源線にのる電気的なノイズと、メインコンデンサ２８の充電時に電源線にのるリップルノイズ（電圧の変動成分）を吸収し、記録制御ＩＣ３１の誤作動を防止するためのフィルタ回路を構成している。
【００４５】
図５において、記録制御ＩＣ３１は、倍電圧回路９１の他、発振回路９４，累積時間計測回路９５、書き込み制御回路９６，パラレル／シリアル（Ｐ／Ｓ）変換回路９７等を集積して小型な１個のＩＣにチップ化したものであり、倍電圧回路９１を除く各回路は、ＶCC１端子８６に入力される駆動電圧ＶCC１によって作動する。また、この記録制御ＩＣ３１には、図示しないがユニット本体１０に装填された写真フイルムカートリッジリ１６のＩＣメモリ２２に基礎データを書き込んだり、外部のコンピュータと接続して累積時間計測回路９５を初期化するための回路が組み込まれている。
【００４６】
発振回路９４は、水晶発振子６９を用いて一定周期のクロックを発生する。累積時間計測回路９５は、発振回路９４からのクロックに基づいて、ＩＣメモリ２２に書き込まれている計測開始時間からの累積時間を計測する。この累積時間は、累積時間データとしてＰ／Ｓ変換回路９７に送られる。
【００４７】
書き込み制御回路９６は、発振回路９４からのクロックに基づいたタイミングで作動する。この書き込み制御回路９６には、ＮＯＲ回路７０からのトリガ検出信号＊ＴＲＧが入力される。書き込み制御回路９６は、アドレスカウンタを有しており、このアドレスカウンタの内容は、撮影データの書き込み完了毎に、次に撮影データを書き込むべきＩＣメモリ２２のアドレス（コマ番号に対応）に更新され保持される。
【００４８】
Ｐ／Ｓ変換回路９７は、書き込み制御回路９６に制御され、トリガ検出信号＊ＴＲＧの発生時点での累積時間データ等の撮影データを、シリアルデータ（ＳＤＡ）に変換して、これを書き込み制御回路９６からの同期クロック（ＳＣＬ）に同期させてＩＣメモリ２２に送って、撮影データをＩＣメモリ２２に書き込む。この書き込みに際して、書き込み制御回路９６のアドレスカウンタに示されるＩＣメモリ２２のコマ番号に対応するアドレスに撮影データが書き込まれる。
【００４９】
ストロボ回路２９によるメインコンデンサ２８の充電が行われている間では、このストロボ回路２９に大きな電流が流れて電池３５の電圧降下が生じるため、ＩＣメモリ２２に給電される駆動電圧ＶDDが低下して、ＩＣメモリ２２に撮影データが書き込まれなかったり、書き込まれたとしてもその撮影データが誤ったものとなる場合がある。このため、記録制御ＩＣ３１は、ＩＣメモリ２２に撮影データを書き込んでいる間に、ストロボ回路２９による充電を禁止するための充電制御端子としてビジー端子３１ａが設けられている。このビジー端子３１ａは、書き込み制御回路９６によって、その状態が制御されている。
【００５０】
ビジー端子３１ａは、「Ｈレベル」及び「Ｌレベル」のビジー信号（＊ＢＵＳＹ）を出力にする他に、端子をハイインピーダンス（高入力インピーダンス）の状態にすることができる周知のスリーステートの端子になっている。このビジー端子３１ａは、ストロボ回路２９のラッチ用トランジスタ５２のコレクタ端子、すなわち抵抗６０及び三次コイル６３を介して発振トランジスタ５０のベース端子に接続されている。
【００５１】
書き込み制御回路９６は、トリガ検出信号＊ＴＲＧの検出後に、ビジー端子３１ａを禁止状態とすることにより、ビジー信号を「Ｌレベル」にして、発振トランジスタ５０にベース電流が流れることを阻止して、ストロボ回路２９による充電を禁止し、その禁止している間に撮影データをＩＣメモリ２２に書き込む。また、撮影データの書き込の終了に応答して、ビジー端子３１ａを所定の時間だけ充電開始状態にすることにより、ビジー信号を「Ｈレベル」とする。これにより、この「Ｈレベル」のビジー信号を充電信号として発振トランジスタ５０に与えてメインコンデンサ２８の充電を開始させ、この後にビジー端子３１ａをハイインピーダンスの状態にする。ビジー端子３１ａがハイインピーダンスの状態になっている場合には、発振トランジスタ５０の作動が許容される。
【００５２】
次に、上記構成の作用について説明する。記録制御ＩＣ３１は、工場での出荷時より、抵抗８７を介して電池３５から駆動電圧ＶCC１の給電を受けて、作動状態となっている。撮影者は、初めてストロボ撮影を行う場合には、充電ボタン１４ｄを押圧操作して、充電スイッチ３８をオンとする。
【００５３】
充電スイッチ３８がオンになると、記録制御ＩＣ３１のビジー端子３１ａがハイインピーダンスとなっているから、この充電スイッチ３８，抵抗６０，三次コイル６３を介して電池３５から発振トランジスタ５０にベース電流が流れる。これにより、発振トランジスタ５０が作動を開始し、ベース電流に応じたコレクタ電流を流すようになる。このコレクタ電流は、第１端子５１ａから第２端子５１ｂ方向の一次側電流として一次コイル６１に流れる。
【００５４】
また、一次側電流が流れる始める（増加する）ことによって、二次コイル６２に高電圧の起電力が発生し、第５端子５１ｅから第４端子５１ｄ方向に二次側電流が流れる。この二次側電流は、発振トランジスタ５０のベース電流として流れ込むので、一次コイル６１からのコレクタ電流（一次側電流）がさらに増加する。
【００５５】
ラッチ用トランジスタ５２は、発振トランジスタ５０がコレクタ電流を流すようになると、このコレクタ電流がラッチ用トランジスタ５２のベース電流として供給される。このため、ラッチ用トランジスタ５２がオンとなり、電池３５から抵抗６０，三次コイル６３を介して発振トランジスタ５０にベース電流が与えられる。
【００５６】
発振トランジスタ５０は、発振トランス５１との正帰還作用によって、ベース電流が増大され、コレクタ電流すなわち一次側電流を増大するが、発振トランジスタ５０が飽和状態に近づくと、コレクタ電流の変化が小さくなる。これにより、一次側電流の変化が小さくなり、発振トランス５１の各コイル６１〜６３には、逆起電力が発生する。この逆起電力のために、発振トランジスタ５０は、二次コイル６２からのベース電流が急激に減少するので、コレクタ電流を急激に減少させる。
【００５７】
しかし、発振トランジスタ５０は、ラッチ用トランジスタ５２からベース電流が与えれられているため、完全にオフとなることはなく、発振トランス５１の逆起電力の発生が停止した後、再びコレクタ電流を増加させて、一次側電流を増加させる。このようにして、充電スイッチ３８がオフとなっていても、発振トランジスタ５０の発振動作が継続して行われる。
【００５８】
発振動作中に二次コイル６２で発生した高電圧の起電力による二次側電流は、充電用ダイオード５７を介してメインコンデンサ２８とトリガコンデンサ５４を充電する。メインコンデンサ２８への充電が進み、メインコンデンサ２８の充電電圧Ｖｃが電圧Ｖｂ（約２５２Ｖ）に達すると、ネオン管５６が点灯と消灯とを交互に繰り返して点滅を開始する。さらに充電が進んで、メインコンデンサ２８の充電電圧Ｖｃが規定充電電圧Ｖａに達すると、ツェナダイオード５８にツェナ電流が流れ、停止用トランジスタ５９がオンとなる。
【００５９】
停止用トランジスタ５９がオンとなると、発振トランジスタ５０のベース端子とエミッタ端子とが短絡された状態となるから、発振トランジスタ５０の発振が停止し、これに伴ってラッチ用トランジスタ５２もオフとなる。これにより、メインコンデンサ２８への充電が停止される。そして、充電スイッチ３８及びラッチ用トランジスタ５２がオフとなっているから、ツェナダイオード５８にツェナ電流が流れなくなって、停止用トランジスタ５９がオフとなっても、発振トランジスタ５０の発振が開始されることはない。このようにして、メインコンデンサ２８は、その充電電圧Ｖｃが３００Ｖに達した時点で充電が停止される。
【００６０】
撮影者は、ネオン管５４の周期の短い点滅でストロボ発光の準備の完了を確認したならば、シャッタボタン１４ｅを押圧操作して撮影を行う。シャッタボタン１４ｅの押圧操作により、シャッタ羽根４０が作動して写真フイルム１６ｂが露光される。また、シャッタ羽根４０が全開した瞬間にシンクロスイッチ２７及び補助スイッチ４２がほぼ同時にシャッタ羽根４０で蹴飛ばされてオンとなる。
【００６１】
なお、長時間に渡り撮影を行わないでいると、メインコンデンサ２８が自然放電して、その充電電圧Ｖｃが低下する。そして、ストロボ発光が不可能な状態にまで充電電圧Ｖｃが低下したり、ストロボ発光が可能であるが所定の光量を得られないことがある。このような場合には、撮影者は、上記同様にして充電ボタン１４ｄを押圧操作して、充電スイッチ３８をオンとすることで、メインコンデンサ２８が規定充電電圧Ｖａまで追加充電してから、シャッタボタン１４ｅの押圧操作する。
【００６２】
シンクロスイッチ２７がオンとなると、上記のようにしてメインコンデンサ２８が充電された状態になっていれば、トリガコンデンサ５４が放電することによりトリガコイル５５で発生するトリガ電圧がストロボ放電管５３に印加される。これにより、メインコンデンサ２８の電荷がストロボ放電管５３内で放電して、ストロボ発光が行われる。もちろん、メインコンデンサ２８の充電電圧Ｖｃがストロボ発光するのに必要な電圧よりも低い場合には、ストロボ発光は行われず、この場合にはストロボ信号は「Ｌレベル」のままとなる。
【００６３】
一方、トリガ検出用トランジスタ７１は、シンクロスイッチ２７がオンとなることによりオンとなって、トリガ検出信号＊ＴＲＧ１が「Ｌレベル」となる。また、シンクロスイッチ２７とほぼ同時に補助スイッチ４２もオンとなってトリガ検出信号＊ＴＲＧ２が「Ｌレベル」となる。このとき、なんらかの原因によりシンクロスイッチ２７がオンにならなかった場合にも補助スイッチ４２がオンとなるから、ＮＯＲ回路７０から書き込み制御回路９６に出力されるトリガ検出信号＊ＴＲＧが「Ｌレベル」となる。この瞬間に書き込み制御回路９６は、ビジー信号を「Ｌレベル」にする。これにより、発振トランジスタ５０にベース電流が供給されることを阻止して、ストロボ回路２９によるメインコンデンサ２８への充電が禁止される。
【００６４】
これと同時に、書き込み制御スイッチ７５がビジー信号によりオフ状態にされる。これにより、シンクロスイッチ２７及び補助スイッチ４２が両方ともにオンとなって、しかもオンとなる互いのタイミングが互いにズレた場合に、どちらか早くオンとなった方のみによってトリガ検出信号＊ＴＲＧが「Ｌレベル」となるようにされる。
【００６５】
この後に、書き込み制御回路９６は、倍電圧回路９１を作動状態にして、電池３５からの電圧Ｖ１（ＶCC２）を駆動電圧ＶDDに昇圧し、ＩＣメモリ２２へ駆動電圧ＶDDの給電を開始する。また、書き込み制御回路９６は、Ｐ／Ｓ変換回路９７を制御して、この時点の累積時間計測回路９５の累積時間データをＰ／Ｓ変換回路９７にセットする。
【００６６】
書き込み制御回路９６が同期クロックの送出すると、Ｐ／Ｓ変換回路９７は、同期クロックに同期させたタイミングでセットされた累積時間データがシリアルデータに変換されてＩＣメモリ２２に送られる。このようにして、ＩＣメモリ２２に送られた撮影データ（累積時間データ）は、書き込み制御回路９６のアドレスカウンタに示されるＩＣメモリ２２の各コマ番号ごとのアドレスに書き込まれる。ここで、シャッタ羽根４０が１回作動する毎に必ずトリガ検出信号＊ＴＲＧが「Ｌレベル」となってＩＣメモリ２２への撮影データ書き込みが行われるから、ＩＣメモリ２２に書き込まれる撮影データとコマ番号との間にズレが生じることが防止される。
【００６７】
ＩＣメモリ２２へのデータ書き込みが終了すると、書き込み制御回路９６は、ビジー端子３１ａを「Ｌレベル」から「Ｈレベル」に変化させる。これにより、「Ｈレベル」のビジー信号が充電信号として発振トランジスタ５０に与えられるので、発振トランジスタ５０が作動を開始し、充電スイッチ３８がオンとなった場合と同様にして、メインコンデンサ２８の充電が開始される。また、書き込み制御スイッチ７５がオフ状態からオン状態に変化され、次の撮影時のデータ書き込みに備えられる。なお、ビジー端子３１ａは、一定の時間だけ「Ｈレベル」とされた後に、ハイインピーダンスの状態にされる。
【００６８】
以降、順次に撮影が行われ、撮影が完了する毎に対応するコマ番号とズレることなく撮影データがＩＣメモリ２２に書き込まれる。使用済みのレンズ付きフイルムユニットはそのまま現像取扱店に提出される。現像取扱店では、レンズ付きフイルムユニットから写真フイルムカートリッジ１６を取り出し、ＩＣメモリ２２に記録されている撮影データが写真フイルム１７の磁気記録層に転記される。
【００６９】
写真フイルム１７は、カートリッジ本体１６ａからいったん分離され、現像処理されてからプリント処理が施される。このプリント処理時に磁気記録層もしくはカートリッジ本体１６ａのＩＣメモリ２２から撮影データが各コマ番号毎に読み出され、顧客の希望に応じて撮影年月日等が対応するコマ番号のプリント写真に焼き付けられる。この後、写真フイルム１７は再びカートリッジ本体１６ａに収納され、プリント写真とともにユーザーに返却される。
【００７０】
以上説明した実施形態では、補助スイッチをシャッタ羽根の全開時に蹴飛ばされてオンされるようにしたが、撮影機構の露光動作に応動してオンされるのであれば、例えばシャッタ羽根を蹴飛ばす蹴飛ばしレバー等でオンされるようにしてもよい。
【００７１】
また、上記実施形態では、写真フイルムカートリッジにＩＣメモリを内蔵させた場合について説明したが、ユニット本体側、例えばストロボユニットの回路基板にＩＣメモリを組み付けてもよい。もちろん、記録制御ＩＣにＩＣメモリを内蔵させてもよい。
【００７２】
【発明の効果】
以上に述べたように、本発明のレンズ付きフイルムユニットによれば、シンクロスイッチの他に、撮影機構の露光動作に応動してオンされる補助スイッチを設け、シンクロスイッチ，補助スイッチのうち少なくともどちらか一方がオンすることによりＩＣメモリにデータの書き込みを行うようにしたので、シンクロスイッチがオンしなかった場合にもＩＣメモリへのデータ書き込みが確実に行われ、コマ番号とデータとのズレが防止できる。また、補助スイッチは、シャッタ羽根に蹴飛ばされてオンされるようにしたので、簡単な構成で上記効果を得ることができる。
【図面の簡単な説明】
【図１】本発明を実施したレンズ付きフイルムユニットの回路図である。
【図２】レンズ付きフイルムユニットの分解斜視図である。
【図３】ＩＣメモリが内蔵された写真フイルムカートリッジを示す斜視図である。
【図４】シャッタ羽根とシンクロスイッチ，補助スイッチとの関係を示す説明図である。
【図５】記録制御ＩＣの概略的な構成を示すブロック図である。
【符号の説明】
１０  ユニット本体
１６  写真フイルムカートリッッジ
２２  ＩＣメモリ
２７  シンクロスイッチ
２８  メインコンデンサ
２９  ストロボ回路
３１  記録制御ＩＣ
３３  データ記録部
３５  電池
３８  充電スイッチ
４０  シャッタ羽根
４２  補助スイッチ
７０  ＮＯＲ回路
７５  書き込み制御スイッチ
９６  書き込み制御回路
【図１】
0003667529.tif 000002
【図２】
0003667529.tif 000003
【図３】
0003667529.tif 000004
【図４】
0003667529.tif 000005
【図５】
0003667529.tif 000006